(57)【要約】【課題】液々熱交換器を必要とせず、製造コストの低減が可能で、ミスト噴出部から冷たい水が噴出されることにより使用者に不快感を与えることを回避することができる浴用ミスト装置を提供する。【解決手段】ミスト噴霧開始指令手段３４の操作によって、給湯手段１６から供給されるミスト用湯水が、ミスト用給湯管路２０を経由してミストノズル（ミスト噴出手段）４（４ａ，４ｂ）からミスト状に噴出されるミスト運転を、制御部が実行するように構成された浴用ミスト装置において、ミスト用給湯管路２０内の圧力を検出するミスト用湯水圧力検出手段ＰＳを設け、ミスト運転実行中においてミスト用湯水圧力検出手段ＰＳによる検出圧力が所定の第１圧力まで低下したときに、制御部が、ミスト噴出手段からのミスト用湯水の噴霧を中断するミスト噴霧中断制御を実行するように構成する。【選択図】図２
2018009758.tif 000002
【特許請求の範囲】
【請求項１】
ミスト噴霧の開始を指令するミスト噴霧開始指令手段の操作によって、給湯手段から供給されるミスト用湯水が、ミスト用給湯管路を経由してミスト噴出手段からミスト状に噴出されるミスト運転を、制御部が実行するように構成された浴用ミスト装置であって、
前記ミスト用給湯管路内の圧力を検出するミスト用湯水圧力検出手段を備え、
前記ミスト運転実行中において前記ミスト用湯水圧力検出手段による検出圧力が所定の第１圧力まで低下したときに、前記制御部が、前記ミスト噴出手段からの前記ミスト用湯水の噴霧を中断するミスト噴霧中断制御を実行すること
を特徴とする浴用ミスト装置。
【請求項２】
前記ミスト噴霧中断制御の実行中において、前記ミスト用湯水圧力検出手段による検出圧力が前記第１圧力より高い所定の第２圧力まで上昇したときに、前記制御部が、前記ミスト噴霧中断制御を終了して前記ミスト噴出手段からの前記ミスト用湯水の噴霧を再開することを特徴とする請求項１記載の浴用ミスト装置。
【請求項３】
ミスト噴霧の開始を指令するミスト噴霧開始指令手段の操作によって、給湯手段から供給されるミスト用湯水が、ミスト用給湯管路を経由してミスト噴出手段からミスト状に噴出されるミスト運転を、制御部が実行するように構成された浴用ミスト装置であって、
前記ミスト用給湯管路内を通流する前記ミスト用湯水の単位時間当たりの通流量を検出するミスト用湯水流量検出手段を備え、
前記ミスト運転実行中において前記ミスト用湯水流量検出手段による検出流量が所定の流量まで低下したときに、前記制御部が、前記ミスト噴出手段からの前記ミスト用湯水の噴霧を中断するミスト噴霧中断制御を実行すること
を特徴とする浴用ミスト装置。
【請求項４】
前記ミスト用給湯管路内の圧力を検出するミスト用湯水圧力検出手段を備え、
前記ミスト噴霧中断制御の実行中において、前記ミスト用湯水圧力検出手段による検出圧力が所定のミスト再開圧力まで上昇したときに、前記制御部が、前記ミスト噴霧中断制御を終了して前記ミスト噴出手段からの前記ミスト用湯水の噴霧を再開することを特徴とする請求項３記載の浴用ミスト装置。
【請求項５】
前記ミスト噴霧中断制御の実行中である旨を報知する報知手段を備えることを特徴とする請求項１〜４のいずれかに記載の浴用ミスト装置。
【発明の詳細な説明】
【技術分野】
【０００１】
本発明は、浴用ミスト装置に関し、詳しくは、ミスト噴霧が開始が指令されると、給湯手段から供給されるミスト用湯水が、ミスト噴出手段からミスト状に噴霧されるように構成された浴用ミスト装置に関する。
【背景技術】
【０００２】
近年、浴室でミストを噴霧することによりサウナ効果を得ることができるようにした浴用ミスト装置が用いられるようになっている。
【０００３】
そのような浴用ミスト装置の１つとして、特許文献１には、熱源手段から熱媒循環路を通して供給される熱媒により、給水路を通して供給される水を加熱する液々熱交換器を備え、該液々熱交換器において加熱された湯水をミスト噴出手段に供給するように構成された浴用ミスト装置が開示されている。
【０００４】
そして、この浴用ミスト装置においては、給湯装置（給湯手段）から液々熱交換器への熱媒の供給を開始したのち、熱媒サーミスタの検出温度が加熱用設定温度以上になり、加熱可能状態を検出すると、ミスト噴出部への湯水の供給を開始するように構成されており、ミスト噴出部から冷たい水が噴出されることを回避して、ミスト噴出部から冷たい水が噴出されることにより使用者に不快感を与えることがないように構成されている。
【０００５】
その結果、この浴用ミスト装置を用いることにより、液々熱交換器において適切な温度に加熱された湯水を、ミスト噴出手段からミスト状に噴出させて、手軽にミスト浴を楽しむことが可能になる。
【先行技術文献】
【特許文献】
【０００６】
【特許文献１】特開２００３−３３４２３０号公報
【発明の概要】
【発明が解決しようとする課題】
【０００７】
しかしながら、特許文献１の浴用ミスト装置においては、上述のように、液々熱交換器において適切な温度に加熱された湯水をミスト噴出部からミスト状に噴出させることで、ミスト噴出部から冷たい水が噴出されることにより使用者に不快感を与えることを回避するように構成されているが、給水用流路を通流する水を加熱するための液々熱交換器が必要であることから、製造コストの増大や構造の複雑化を招くという問題点がある。
【０００８】
本発明は、上記の課題を解決するものであり、液々熱交換器を必要とせず、製造コストを低減することが可能で、しかも、ミスト噴出部から冷たい水が噴出されることにより使用者に不快感を与えることを回避することができる浴用ミスト装置を提供することを目的とする。
【課題を解決するための手段】
【０００９】
上記の目的を達成するために、本発明の浴用ミスト装置は、
ミスト噴霧の開始を指令するミスト噴霧開始指令手段の操作によって、給湯手段から供給されるミスト用湯水が、ミスト用給湯管路を経由してミスト噴出手段からミスト状に噴出されるミスト運転を、制御部が実行するように構成された浴用ミスト装置であって、
前記ミスト用給湯管路内の圧力を検出するミスト用湯水圧力検出手段を備え、
前記ミスト運転実行中において前記ミスト用湯水圧力検出手段による検出圧力が所定の第１圧力まで低下したときに、前記制御部が、前記ミスト噴出手段からの前記ミスト用湯水の噴霧を中断するミスト噴霧中断制御を実行するように構成されていること
を特徴としている。
【００１０】
また、本発明の浴用ミスト装置においては、前記ミスト噴霧中断制御の実行中において、前記ミスト用湯水圧力検出手段による検出圧力が前記第１圧力より高い所定の第２圧力まで上昇したときに、前記制御部が、前記ミスト噴霧中断制御を終了して前記ミスト噴出手段からの前記ミスト用湯水の噴霧を再開するように構成されていることが好ましい。
【００１１】
また、本発明の他の浴用ミスト装置は、
ミスト噴霧の開始を指令するミスト噴霧開始指令手段の操作によって、給湯手段から供給されるミスト用湯水が、ミスト用給湯管路を経由してミスト噴出手段からミスト状に噴出されるミスト運転を、制御部が実行するように構成された浴用ミスト装置であって、
前記ミスト用給湯管路内を通流する前記ミスト用湯水の単位時間当たりの通流量を検出するミスト用湯水流量検出手段を備え、
前記ミスト運転実行中において前記ミスト用湯水流量検出手段による検出流量が所定の流量まで低下したときに、前記制御部が、前記ミスト噴出手段からの前記ミスト用湯水の噴霧を中断するミスト噴霧中断制御を実行するように構成されていること
を特徴としている。
【００１２】
また、本発明の浴用ミスト装置においては、
前記ミスト用給湯管路内の圧力を検出するミスト用湯水圧力検出手段を備え、
前記ミスト噴霧中断制御の実行中において、前記ミスト用湯水圧力検出手段による検出圧力が所定のミスト再開圧力まで上昇したときに、前記制御部が、前記ミスト噴霧中断制御を終了して前記ミスト噴出手段からの前記ミスト用湯水の噴霧を再開するように構成されていること
が好ましい。
【００１３】
また、本発明の浴用ミスト装置においては、前記ミスト噴霧中断制御の実行中である旨を報知する報知手段を備えていることが好ましい。
【発明の効果】
【００１４】
本発明の浴用ミスト装置においては、給湯手段から供給されるミスト用湯水が、ミスト用給湯管路を経由してミスト噴出手段からミスト状に噴出されるように構成されており、液々熱交換器が不要となるので、構造を簡略化して、製造コストの低減を図ることができる。
【００１５】
また、ミスト運転実行中にミスト用湯水圧力検出手段による検出圧力が所定の第１圧力まで低下したとき（すなわち、圧力低下に伴い通流量が減少したとき）、制御部が、ミスト噴出手段からのミスト用湯水の噴霧を中断するミスト噴霧中断制御を実行するようにしているので、ミスト用湯水がミスト噴出手段から適正にミスト状に噴出されないことによって使用者に不快感を与えてしまうことを回避することが可能な、使用感の良好な浴用ミスト装置を提供することが可能になる。
【００１６】
ミスト噴霧中断制御の実行中において、ミスト用湯水圧力検出手段による検出圧力が第１圧力より高い所定の第２圧力まで上昇したときに、制御部が、ミスト噴霧中断制御を終了してミスト噴出手段からのミスト用湯水の噴霧を再開するように構成した場合、ミスト噴霧の無用な中断を回避することが可能になり、さらに使い勝手の良好な浴用ミスト装置を提供することが可能になる。
【００１７】
また、本願請求項３の発明にかかる浴用ミスト装置においても、給湯手段から供給されるミスト用湯水が、ミスト用給湯管路を経由してミスト噴出手段からミスト状に噴出されるように構成されており、液々熱交換器を必要としないので製造コストを低減することができる。
【００１８】
また、ミスト運転実行中においてミスト用湯水流量検出手段による検出流量が所定の流量まで低下したときに、制御部が、ミスト噴出手段からのミスト用湯水の噴霧を中断するミスト噴霧中断制御を実行するようにしているので、ミスト用湯水がミスト噴出手段から適正にミスト状に噴出されないことによって使用者に不快感を与えてしまうことを回避することが可能になる。
【００１９】
また、ミスト用給湯管路内の圧力を検出するミスト用湯水圧力検出手段を備え、ミスト噴霧中断制御の実行中において、ミスト用湯水圧力検出手段による検出圧力が所定のミスト再開圧力まで上昇したときに、制御部が、ミスト噴霧中断制御を終了してミスト噴出手段からのミスト用湯水の噴霧を再開するようにした場合、ミスト用給湯管路を通流するミスト用湯水の圧力低下が解消したときミスト噴霧中断制御を終了してミスト噴出手段からのミスト用湯水の噴霧を再開するので、ミスト噴霧の無用な中断が回避でき、使い勝手の良好な浴用ミスト装置を提供することが可能になる。
【００２０】
また、ミスト噴霧中断制御の実行中である旨を報知する報知手段を備えるようにした場合、報知によって使用者がミスト噴霧中断制御の実行中である旨を知ることができるのでさらに使い勝手の良好な浴用ミスト装置を提供することが可能になる。
【図面の簡単な説明】
【００２１】
【図１】本発明の一実施形態にかかる浴用ミスト装置の構成を示す縦断面図である。
【図２】本発明の一実施形態にかかる浴用ミスト装置の内部の配管を説明する管路図である。
【図３】本発明の一実施形態にかかる浴用ミスト装置を浴室に設置した状態の斜視図である。
【図４】本発明の一実施形態にかかる浴用ミスト装置の制御部のブロック図である。
【図５】本発明の一実施形態にかかる浴用ミスト装置が備える脱衣所用の操作器の正面図である。
【図６】本発明の一実施形態にかかる浴用ミスト装置が備える浴室用の操作器の正面図である。
【図７】本発明の別実施形態にかかる浴用ミスト装置の構成を示す縦断面図である。
【発明を実施するための形態】
【００２２】
以下、本発明の実施形態を示して、その特徴とするところをさらに詳しく説明する。
【００２３】
［実施形態］
この実施形態にかかる浴用ミスト装置は、図１〜３に示すように、ユニットバスなどの浴室２に設置されるミスト機能付浴室乾燥機（以下、単に「浴室暖房乾燥機Ａ」という）として構成されている。
【００２４】
この浴室暖房乾燥機Ａは、浴室２（図３）内の暖房、浴室２内の換気、浴室２内の乾燥、浴室２内に干した洗濯物の乾燥、浴室２内への涼風の送風、浴室２内に温水のミストを噴霧するミスト浴、浴室２内に温水のミストを噴霧するとともに温風を吹き出すミストサウナ浴、を実行する機能を備えている。
【００２５】
また、この浴室暖房乾燥機Ａを浴室２に設置するにあたっては、例えば、図３に示すように、浴槽７の上方の、浴室２の天井８に設置される。
【００２６】
浴室暖房乾燥機Ａの本体（浴室暖房乾燥機本体）９は天井裏に配置されている。具体的には、例えば、吊り金具１０により天井スラブなどに吊り支持し、浴室暖房乾燥機本体９の下面を浴室２の天井８の開口部１１に臨ませている。また、天井８の下面には開口部１１を覆うグリル板１２（図１）が配置されており、グリル板１２が浴室暖房乾燥機本体９の下面側に取り付けられている。
【００２７】
また、図１および図２に示すように、浴室暖房乾燥機本体９内には、熱交換器（温風用熱交換器）（加熱部）１３および送風機１４（１４ａ，１４ｂ）が内装されている。
【００２８】
この温風用熱交換器１３は、内部に温水を通すことで外部を流れる空気、つまり浴室２内に送り込まれる空気と温水とを熱交換して、空気を加熱するように構成されている。この温風用熱交換器１３は浴室暖房乾燥機本体９に配管した暖房用温水管路１５の途中に配置されており、暖房用温水管路１５には給湯暖房機などの給湯装置（給湯手段）１６（図３）から温水が供給されるように構成されている。
【００２９】
また、図１および図２に示すように、暖房用温水管路１５には温風用熱交換器１３への温水の供給を開閉する熱動弁１７が設けられており、暖房用温水管路１５にはこの管路を流れる温水の温度を検出する暖房温水サーミスタＴＨ２が配設されている。
【００３０】
なお、給湯装置（給湯手段）１６で加熱された温水は、往き配管５１を経由して浴室暖房乾燥機Ａの往き配管接続部５２（図１）から浴室暖房乾燥機Ａに送り込まれ、浴室暖房乾燥機Ａの温風用熱交換器１３で放熱した後、浴室暖房乾燥機Ａが備える戻り配管接続部６２（図１）から戻り配管６１を経由して給湯装置１６へ戻るように、往き配管５１と戻り配管６１とが配設されている。
【００３１】
図１に示すように、この実施形態にかかる浴室暖房乾燥機Ａにおいて、送風機１４は、浴室内空気を循環させる浴循環ファン１４ａと、浴室内空気を外部へ排出する換気ファン１４ｂとを備えた構成とされている。また、屋外への排気口の手前には、逆流を防止するための逆風止め５０を備えている。
【００３２】
さらに、浴室暖房乾燥機本体９の下面側には循環ファン１４ａで送風される空気を浴室２内に吹き出す吹き出し口３が設けられている。この吹き出し口３には可動ルーバー１８が回動可能に装着されており、可動ルーバー１８を回動することにより吹き出し口３の開閉、および、吹き出し口３から吹き出す風向の変更を行うことができるように構成されている。グリル板１２には浴室２内の空気を吸い込む吸い込み口１が設けられており、この吸い込み口１の近傍には、浴室温度サーミスタＴＨ３が配設されている。
【００３３】
また、この浴室暖房乾燥機Ａは、ミスト浴の機能を具備するためにミスト発生部１９が組み込まれている。ミスト発生部１９のミストノズル４は、グリル板１２の一部に配置されており、ミスト用給湯管路２０がミストノズル４に連通している。
【００３４】
図２に示すように、ミストノズル４として、２．０リットル／ｍｉｎ程度の流量で温水のミストを噴霧する２個のミストノズル（ミスト噴出手段）４ａ，４ｂが配設されており、ミストノズル４ａ，４ｂの手前には電磁弁などで構成されるミスト開閉弁２１ａ，２１ｂが設けられている。このミスト開閉弁２１ａ，２１ｂを開閉することにより、ミストノズル４ａやミストノズル４ｂから選択的に温水がミスト状噴霧される。
【００３５】
そして、２つのミストノズル（ミスト噴出手段）４（４ａ，４ｂ）の両方から温水のミストを噴霧すると、ミスト用給湯管路２０に４．０リットル／ｍｉｎの温水が通流し「強」に相当するミスト量でミストが噴霧され、２つのミストノズル４ａ，４ｂの一方から温水のミストを噴霧すると、ミスト用給湯管路２０に２．０リットル／ｍｉｎの温水が通流し「弱」に相当するミスト量でミストが噴霧されるように構成されている。
【００３６】
この実施形態の、浴用ミスト装置を備えた浴室暖房乾燥機Ａにおいては、ミスト発生部１９が浴室暖房乾燥機本体９の上に搭載されているが、ミスト発生部１９を浴室暖房乾燥機本体９の中に収納するようにしてもよい。
【００３７】
ミスト用給湯管路２０には、給湯装置（給湯手段）１６から温水が供給されるように構成されており、入口側から順にストレーナ２２、給湯電磁弁２３が設けられている（図１、図２）。ただし、図３においては、給湯配管の図示は省略している。
ただし、ミスト用湯水を、給湯装置（給湯手段）１６とは別に配設された給湯装置から供給するように構成することも可能である。
【００３８】
因みに、浴室暖房乾燥機Ａの取扱説明書で、給湯装置（給湯手段）１６の出湯設定温度を４８℃に設定するように指定されており、給湯装置（給湯装置１６）からは、４８℃の温水が供給されるように構成されている。
【００３９】
ミスト用給湯管路２０におけるミスト開閉弁２１ａ，２１ｂの上流側には、ミスト用給湯管路２０を流れる温水の温度を検出するミスト温度サーミスタＴＨ１が配設されている。
【００４０】
また、浴室暖房乾燥機Ａは、図３に示すように、浴室２外の脱衣所に設けた操作器５や浴室２内に設けた操作器３０にてリモコン操作されるように構成されている。
【００４１】
図５に示すように、脱衣所用の操作器５には、タイマー表示部３１、タイマー設定スイッチ３２、風向スイッチ３３、ミストサウナスイッチ３４、乾燥スイッチ６、暖房スイッチ３６、涼風スイッチ３７、換気スイッチ３８、停止スイッチ３９が設けられている。
【００４２】
また、図６に示すように、浴室用の操作器３０には、状態表示部４０、浴室内ミストサウナスイッチ１３４、浴室内ミストスイッチ４１、浴室内温度設定スイッチ４２、浴室内暖房スイッチ１３６、浴室内涼風スイッチ１３７、浴室内風向スイッチ１３３、ミスト入浴時間計測用のストップウォッチのスタート／ストップスイッチ４３、リセットスイッチ４５、浴室内停止スイッチ１３９が設けられている。
【００４３】
また、この実施形態にかかる浴室暖房乾燥機Ａにおいては、グリル板１２の吸い込み口１近傍に、吸気の湿度を検知する湿度検出手段２７（図１、図２）が配設されている。
湿度検出手段２７としては、例えば、ＮＴＣサーミスタなどの感温素子で構成された湿度センサを用いることができる。
【００４４】
なお、湿度検出手段(湿度センサ)２７は、吸気と接するように開放された湿度測定用素子と密閉ケースに密封された温度補正用素子とを一体に備えており、吸気の湿度が変化すると、湿度測定用素子の熱伝導率が変化することで、両素子の出力値に差が生じ、この差を検出することにより絶対湿度値を測定することができるように構成されている。
【００４５】
また、図４は、浴室暖房乾燥機Ａの制御部Ｂの一例を示す図である。制御部Ｂには、メモリ２８、演算回路２９などが内蔵され、上記操作器５や浴室用操作器３０をリモコン操作することで制御部Ｂにて、以下に説明するような制御が行われるように構成されている。
【００４６】
＜特徴的構成＞
次に、この実施形態にかかる、浴用ミスト装置を備えた浴室暖房乾燥機Ａの特徴的な構成について説明する。
【００４７】
浴室暖房乾燥機Ａは、上述のように、制御部Ｂ（図４）を備えており、この制御部Ｂが、以下に説明するミスト運転を実行する。
【００４８】
このミスト運転は、ミスト噴霧の開始を指令するミストサウナスイッチ（ミスト噴霧開始指令手段）３４（図５）の操作によって、給湯装置（給湯手段）１６から供給されるミスト用湯水を、制御部Ｂが、ミスト用給湯管路２０を経由してミスト噴出手段（この実施形態ではミストノズル）４（４ａ，４ｂ）からミスト状に噴出させることにより実行される。
【００４９】
また、この実施形態において、ミスト運転は給湯装置１６から４８℃の温水を供給することにより行われるが、浴室暖房乾燥機Ａは、ミスト用給湯管路２０を通流するミスト用湯水の温度を検出するミスト用湯水温度検出手段（ミスト温度サーミスタ）ＴＨ１（図１、図２）による検出温度が、所定の温度（例えば４３℃）に達したことを報知する報知手段を備えている。このように、ミスト温度サーミスタ（ミスト用湯水温度検出手段）ＴＨ１による検出温度が所定の温度（例えば４３℃）に達したことを報知する報知手段を備えることにより、使用者が、所定の温度（例えば４３℃）に達するまでの間に、ミスト噴出部から噴霧される低温のミストを不用意に浴びることが抑制されるので、使用者に不快感を与えることを回避して、使い勝手を向上させることができる。
【００５０】
また、この実施形態では、ミストサウナスイッチ（ミスト噴霧開始指令手段）３４を一度押し操作すると、制御部Ｂがミスト「強」運転を実行し、ミストノズル（ミスト噴出手段）４（４ａ，４ｂ）の両方から温水をミスト状に噴霧し、ミストサウナスイッチ３４の上に配置される強ランプ（ＬＥＤ）３４ａが点灯し、また、ミストサウナスイッチ（ミスト噴霧開始指令手段）３４を二度押し操作すると、制御部Ｂがミスト「弱」運転を実行し、ミストノズル４ａまたはミストノズル４ｂの内の一方（本実施形態では、ミストノズル４ａ）から温水をミスト状に噴霧し、ミストサウナスイッチ３４の上に配置される弱ランプ（ＬＥＤ）３４ｂが点灯するように構成されている。
【００５１】
このミストサウナスイッチ３４の上に配置される強ランプ３４ａおよび弱ランプ３４ｂは、ミスト運転の開始報知手段としての機能を兼ね備えている。
すなわち、ミストの噴霧を開始してから、ミスト温度サーミスタＴＨ１（図１、図２）による検出温度が所定の温度（例えば４３℃）未満である期間は、制御部Ｂがミスト「強」運転を実行している場合はミストサウナスイッチ３４の上に配置される強ランプ３４ａが点滅し、制御部Ｂがミスト「弱」運転を実行している場合はミストサウナスイッチ３４の上に配置される弱ランプ３４ｂが点滅するように構成されている。
【００５２】
そして、ミスト温度サーミスタＴＨ１（図１、図２）による検出温度が所定の温度（例えば４３℃）以上となった時点で、制御部Ｂがミスト「強」運転を実行している場合はミストサウナスイッチ３４の上に配置される強ランプ３４ａが連続点灯し、制御部Ｂがミスト「弱」運転を実行している場合はミストサウナスイッチ３４の上に配置される弱ランプ３４ｂが連続点灯するように構成されている。
【００５３】
なお、この実施形態の浴室暖房乾燥機Ａでは、浴室用の操作器３０に、脱衣所用の操作器５の強ランプ（ＬＥＤ）３４ａ、弱ランプ（ＬＥＤ）３４ｂと同様に機能する強ランプ（ＬＥＤ）１３４ａ、弱ランプ（ＬＥＤ）１３４ｂが配設されている。
【００５４】
さらに、この実施形態の浴室暖房乾燥機Ａでは、ミスト用給湯管路２０内の圧力を検出する圧力センサＰＳを備えている（図１、図２）。
【００５５】
そして、ミスト噴出手段であるミストノズル（ミスト噴霧手段）４（４ａ，４ｂ）からミスト用湯水がミスト状噴霧されるミスト運転実行中において、圧力センサＰＳによる検出圧力が所定の第１圧力（例えば０．１５ＭＰａ）まで低下したときに、制御部Ｂは、ミストノズル（ミスト噴霧手段）４（４ａ，４ｂ）からのミスト用湯水の噴霧を中断するミスト噴霧中断制御を実行するように構成されている（図４参照）。
【００５６】
さらに、この実施形態の浴室暖房乾燥機Ａでは、ミスト噴霧中断制御の実行中において、圧力センサＰＳによる検出圧力が第１圧力（例えば０．１５ＭＰａ）より高い第２圧力（例えば０．２ＭＰａ）まで上昇したときに、制御部Ｂは、ミスト噴霧中断制御を終了してミストノズル４（４ａ，４ｂ）からのミスト用湯水の噴霧を再開するように構成されている。
【００５７】
また、この実施形態の浴室暖房乾燥機Ａでは、ミスト噴霧中断制御の実行中である旨を、脱衣所用の操作器５において強ランプ（ＬＥＤ）３４ａと弱ランプ（ＬＥＤ）３４ｂとを交互に点滅させること、および、浴室用の操作器３０において強ランプ（ＬＥＤ）１３４ａと弱ランプ（ＬＥＤ）１３４ｂとを交互に点滅させることによって報知するように構成されている。
【００５８】
この実施形態の浴室暖房乾燥機Ａによれば、給湯手段から供給されるミスト用湯水が、ミスト用給湯管路２０を経由してミストノズル（ミスト噴出手段）４（４ａ，４ｂ）からミスト状に噴出されるように構成されていることから、液々熱交換器を必要とせず、部品点数を少なくすることが可能になり、製造コストの低減を図ることができる。
【００５９】
また、ミスト運転実行中において、ミスト用給湯管路２０を通流するミスト用湯水の圧力センサ（圧力検出手段）ＰＳによる検出圧力が所定の第１圧力まで低下したとき（すなわち、圧力低下に伴って通流量が減少してしまったとき）に、制御部が、ミストノズル（ミスト噴出手段）４（４ａ，４ｂ）からのミスト用湯水の噴霧を中断するミスト噴霧中断制御を実行するように構成されているので、ミスト用湯水がミスト噴出手段から適正にミスト状に噴出されないことによって使用者に不快感を与えてしまうことを回避することが可能な、使用感に優れた浴用ミスト装置（浴室暖房乾燥機）を提供することが可能になる。
【００６０】
また、上述のように、ミスト用給湯管路２０を通流するミスト用湯水の圧力低下が解消したとき、ミスト噴霧中断制御を終了してミストノズル（ミスト噴出手段）４（４ａ，４ｂ）からのミスト用湯水の噴霧を再開するように構成されているので、ミスト噴霧の無用な中断を回避して、より使い勝手の良好な浴用ミスト装置（浴室暖房乾燥機）を実現することができる。
【００６１】
また、上述のように、ミスト噴霧中断制御の実行中である旨を、脱衣所用の操作器５において強ランプ（ＬＥＤ）３４ａと弱ランプ（ＬＥＤ）３４ｂとを交互に点滅させること、および、浴室用の操作器３０において強ランプ（ＬＥＤ）１３４ａと弱ランプ（ＬＥＤ）１３４ｂとを交互に点滅させることによって報知するようにしているので、使用者がミスト噴霧中断制御の実行中である旨を知ることができるので、さらに使い勝手の良好な浴用ミスト装置を提供することが可能になる。
【００６２】
［別実施形態］
図７は、本発明の別実施形態にかかる浴用ミスト装置の構成を示す縦断面図である。
【００６３】
この浴用ミスト装置は、図７に示すように、ミスト用給湯管路２０内を通流するミスト用湯水の単位時間当たりの通流量を検出する流量センサＦＳを備え、ミストノズル（ミスト噴出手段）４（４ａ，４ｂ）からミスト用湯水を噴霧するミスト運転実行中において流量センサＦＳによる検出流量が所定の流量（例えば毎分１．５リットル）まで低下したときに、制御部Ｂが、ミストノズル（ミスト噴出手段）４（４ａ，４ｂ）からのミスト用湯水の噴霧を中断するミスト噴霧中断制御を実行するように構成されている。その他の構成は、図１，２などに示した、上述の実施形態の場合と同様である。
【００６４】
上述のように、上記実施形態では、ミスト用給湯管路２０内の圧力を圧力センサＰＳにより測定し、圧力が所定の第１圧力まで低下したときに、ミスト用湯水の通流量が減少したと判定し、ミスト噴霧中断制御を実行するようにしているが、この別実施形態では、ミスト用湯水の通流量を流量センサＦＳにより検出し、検出流量が所定の流量まで低下したときに、ミスト噴霧中断制御を実行するようにしている。
【００６５】
この別実施形態のように構成することによっても、上述の実施形態の場合と同様の効果を得ることができる。具体的には、液々熱交換器を必要としないので製造コストが低減でき、しかも、ミスト用給湯管路２０を通流するミスト用湯水の通流量が減少してしまったときにミスト用湯水の噴霧を中断するようにしているので、ミスト用湯水がミスト噴出手段から適正にミスト状に噴出されないことによって使用者に不快感を与えてしまうことが回避できる。
【００６６】
なお、この別実施形態の構成の場合も、ミスト用給湯管路２０内の圧力を検出する圧力センサＰＳを設け、ミスト噴霧中断制御の実行中において、圧力センサＰＳによる検出圧力が所定のミスト再開圧力（例えば０．２ＭＰａ）まで上昇したときに、制御部Ｂが、ミスト噴霧中断制御を終了してミストノズル（ミスト噴出手段）４（４ａ，４ｂ）からのミスト用湯水の噴霧を再開するように構成することが可能である。このように構成した場合、ミスト用給湯管路２０を通流するミスト用湯水の流量が低下してミスト噴霧中断制御を行っている際に、圧力低下が解消したとき、すなわち、ミスト用給湯管路２０を通流するミスト用湯水の通流量の回復が確認できたときに、ミスト噴霧中断制御を終了してミスト噴出手段からのミスト用湯水の噴霧が再開されるので、ミスト噴霧の無用な中断を回避することができ、使い勝手の良好な浴用ミスト装置を提供することができる。
【００６７】
なお、この別実施形態の態様において、ミスト用給湯管路２０内の圧力を検出する圧力センサＰＳが必要になるのは、ミスト噴霧中断制御を行っている際には、ミスト用給湯管路２０をミスト用湯水が通流しないため、通流量を検出して、ミスト用湯水の噴霧の再開のタイミングを検出できないことによるものである。
【００６８】
本発明は、さらにその他の点においても上記実施形態に限定されるものではなく、本発明の範囲内において種々の変形を加えることが可能である。
【符号の説明】
【００６９】
１        吸い込み口
２        浴室
３        吹き出し口
４（４ａ，４ｂ）      ミストノズル（ミスト噴出手段）
５        操作器
７        浴槽
８        天井
９        浴室暖房乾燥機本体
１２      グリル板
１３      熱交換器（温風用熱交換器）（加熱部）
１４      送風機
１４ａ    循環ファン
１４ｂ    換気ファン
１５      暖房用温水管路
１６      給湯装置（給湯手段）
１８      稼働ルーバー
１９      ミスト発生部
２０      ミスト用給湯管路
２１ａ    ミスト開閉弁
２１ｂ    ミスト開閉弁
２２      ストレーナ
２３      給湯電磁弁
２７      湿度検出手段（湿度センサ）
２８      メモリ
２９      演算回路
３０      浴室用の操作器
３１      タイマー表示部（時間表示部）
３４      ミストサウナスイッチ（ミスト噴霧開始指令手段）
３４ａ    強ランプ
３４ｂ    弱ランプ
３８      換気スイッチ
５０      逆風どめ
５１      往き配管
５２      往き配管接続部
６１      戻り配管
６２      戻り配管接続部
Ａ        浴室暖房乾燥機
Ｂ        制御部
ＦＳ      流量センサ
ＰＳ      圧力センサ（圧力検出手段）
ＴＨ１    ミスト温度サーミスタ（ミスト用湯水温度検出手段）
ＴＨ２    往き温水温度検出部（暖房温水サーミスタ）
ＴＨ３    浴室温度サーミスタ
【図１】
2018009758.tif 000003
【図２】
2018009758.tif 000004
【図３】
2018009758.tif 000005
【図４】
2018009758.tif 000006
【図５】
2018009758.tif 000007
【図６】
2018009758.tif 000008
【図７】
2018009758.tif 000009